(57)【要約】【課題】ユーザーが要望する原稿の基準位置を考慮して拡大印刷又は縮小印刷を実行すること。【解決手段】原稿Ｄの搬送方向における先頭側が拡大印刷又は縮小印刷における原稿の基準位置として設定された場合、原稿Ｄの表裏を反転させることなく原稿Ｄの表面を表面画像読取センサＡ２０１により読み取り、読み取って得られた画像データに対して原稿の左側を基準として拡大処理又は縮小処理を実行し、原稿Ｄの搬送方向における後端側が拡大印刷又は縮小印刷における原稿の基準位置として設定された場合、原稿Ｄの表裏を反転させて原稿Ｄの表面を裏面画像読取センサＡ２０２により読み取り、読み取って得られた原稿の画像データに対して原稿の右側を基準として拡大処理又は縮小処理を実行する。【選択図】図３
2008288679.tif 000002
【特許請求の範囲】
【請求項１】
原稿を読み取り、読み取った原稿の画像をシート上に形成する画像形成装置であって、
原稿載置部にセットされた原稿を搬送方向に送り出す原稿搬送部と、
前記原稿載置部から送り出された原稿について表裏反転を制御する表裏反転部と、
当該表裏反転部を経て搬送された前記原稿を読み取って画像データを生成する、表面画像読取センサ及び裏面画像読取センサを備えた読取部と、
拡大印刷又は縮小印刷における原稿の基準位置を設定するジョブ設定部と、
当該ジョブ設定部により設定された内容に基づき、前記読取部によって読み取った原稿の画像データに対して拡大処理又は縮小処理を実行する画像処理部と、
前記画像処理部により拡大処理又は縮小処理された画像データに基づいて前記シート上に画像形成を行う画像形成部と、
前記ジョブ設定部からの設定に応じて前記画像形成装置を制御する制御部と、
を備え、
前記制御部は、
前記ジョブ設定部により前記原稿の前記搬送方向における先頭側が前記基準位置として設定された場合、前記表裏反転部により原稿の表裏を反転させることなく前記原稿の表面を前記表面画像読取センサにより読み取り、読み取って得られた画像データに対して前記原稿の左側を基準として前記画像処理部により拡大処理又は縮小処理を実行し、
前記ジョブ設定部により前記原稿の前記搬送方向における後端側の位置が前記基準位置として設定された場合、前記表裏反転部により原稿の表裏を反転させて前記原稿の表面を前記裏面画像読取センサにより読み取り、読み取って得られた画像データに対して前記原稿の右側を基準として前記画像処理部により拡大処理又は縮小処理を実行することを特徴とする複写装置。
【請求項２】
前記読取部は、前記搬送方向に対して前記表裏反転部の下流側に位置することを特徴とする請求項１に記載の複写装置。
【発明の詳細な説明】
【技術分野】
【０００１】
本発明は原稿を読み取り、読み取った原稿の画像をシート上に形成する複写装置に関するものである。
【背景技術】
【０００２】
近年、原稿画像を読み取って画像データを得、この画像データに基づいてシート上に画像形成を行う複写装置が多くのオフィスに設置されており、会議資料やプレゼンテーション資料等、多様な資料の複写出力に利用されている。複写装置から出力される形態もカラー印刷、モノクロ印刷、集約印刷など多様であり、例えば拡大印刷や縮小印刷も多くの複写装置において可能である。
【０００３】
特許文献１に記載の技術は、自動原稿送り装置において搬送した原稿を画像読取装置によって読み取り、読み取った画像データに対して画像処理部において拡大処理又は縮小処理を実行している。このように、読み取った原稿の画像に対して拡大処理又は縮小処理を実行する画像形成装置が従来から広く知られている。
【特許文献１】特開２０００−１８１３２３号公報
【発明の開示】
【発明が解決しようとする課題】
【０００４】
図６（ａ）に複写装置における一般的な原稿読取部１０００の概略図を示す。
【０００５】
原稿読取部１０００は原稿給紙トレイ１００１、搬送ローラ１００２、原稿搬送経路１００３、光源１００４、読取センサ１００５、原稿排紙トレイ１００６を有する。
【０００６】
原稿給紙トレイ１００１にセットされた原稿Ｄは複数の搬送ローラ１００２により１枚ずつ搬送され、原稿搬送経路１００３を通って読取位置Ｒに搬送される。読取位置Ｒに搬送された原稿Ｄは光源１００４によって照射され、反射光が光学レンズを通じて読取センサ１００５によって読み取られる。読取センサ１００５によって読み取られた原稿Ｄは原稿排紙トレイ１００６に排紙される。
【０００７】
図６（ｂ）は図６（ａ）におけるＸ方向から見た原稿読取部１０００の上面図である。
【０００８】
例えば「ＡＢＣＤＥＦ」という文字が連続的に記載された原稿Ｄがその表面を上にして原稿給紙トレイ１００１にセットされ、原稿Ｄは複数の搬送ローラ１００２によってＹ方向に送り出される。
【０００９】
原稿読取部１０００を有する画像形成装置は、読取センサ１００５によって読み取られた画像データに対して拡大処理又は縮小処理を行い、拡大印刷又は縮小印刷を実行する。
【００１０】
近年の複写装置は高速化が要望されており、高速で拡大印刷又は縮小印刷を実行する場合は、短時間で拡大処理又は縮小処理した画像データを作成する必要があるため、原稿画像のうち先に読取センサ１００５により読み取られる部分を基準として拡大処理又は縮小処理を行うことが考えられる。図６の例でいえば、図６（ｂ）に示す原稿ＤはＤ１の方から先に読取位置Ｒに搬送されて読取センサ１００５により読み取られるため、原稿Ｄの左上端Ｄ２を基準として拡大処理又は縮小処理を行うことが考えられる。
【００１１】
ところで、拡大印刷や縮小印刷における原稿の基準位置を自由に変えたいというユーザーの要望があり、図７に原稿の基準位置を変更した例を示す。図７（ａ）は原稿Ｄの左上端Ｄ３を基準に拡大した例を示し、図７（ｂ）は原稿Ｄの右上端Ｄ４を基準に拡大した例を示す。図７（ａ）で示すように原稿Ｄの左上端Ｄ３を基準に拡大すると、図７（ａ）の右側に示すような拡大された画像がシート上に出力され、図７（ｂ）で示すように原稿Ｄの右上端Ｄ４を基準に拡大すると、図７（ｂ）の右側に示すような拡大した画像がシート上に出力される。
【００１２】
図６で説明したように原稿画像のうち先に読取センサ１００５により読み取った画像データを基準として拡大処理を行う画像形成装置を考慮すると、図６（ｂ）のようにセットした原稿Ｄは原稿Ｄの左側から先に読取センサ１００５により読み取られるため、図７（ａ）に示す原稿Ｄの左上端Ｄ３を基準とした拡大印刷は可能である。しかし、図７（ｂ）に示す原稿Ｄの右上端Ｄ４を基準とした拡大印刷は出来ず、ユーザーの要望に沿うことが出来ない。
【００１３】
そこで、本発明の目的は、ユーザーが要望する原稿の基準位置を考慮して拡大印刷又は縮小印刷を実行する画像形成装置を提供することにある。
【課題を解決するための手段】
【００１４】
上記目的を達成するため、本発明に係る複写装置は、
原稿を読み取り、読み取った原稿の画像をシート上に形成する画像形成装置であって、
原稿載置部にセットされた原稿を搬送方向に送り出す原稿搬送部と、
前記原稿載置部から送り出された原稿について表裏反転を制御する表裏反転部と、
当該表裏反転部を経て搬送された前記原稿を読み取って画像データを生成する、表面画像読取センサ及び裏面画像読取センサを備えた読取部と、
拡大印刷又は縮小印刷における原稿の基準位置を設定するジョブ設定部と、
当該ジョブ設定部により設定された内容に基づき、前記読取部によって読み取った原稿の画像データに対して拡大処理又は縮小処理を実行する画像処理部と、
前記画像処理部により拡大処理又は縮小処理された画像データに基づいて前記シート上に画像形成を行う画像形成部と、
前記ジョブ設定部からの設定に応じて前記画像形成装置を制御する制御部と、
を備え、
前記制御部は、
前記ジョブ設定部により前記原稿の前記搬送方向における先頭側が前記基準位置として設定された場合、前記表裏反転部により原稿の表裏を反転させることなく前記原稿の表面を前記表面画像読取センサにより読み取り、読み取って得られた画像データに対して前記原稿の左側を基準として前記画像処理部により拡大処理又は縮小処理を実行し、
前記ジョブ設定部により前記原稿の前記搬送方向における後端側の位置が前記基準位置として設定された場合、前記表裏反転部により原稿の表裏を反転させて前記原稿の表面を前記裏面画像読取センサにより読み取り、読み取って得られた画像データに対して前記原稿の右側を基準として前記画像処理部により拡大処理又は縮小処理を実行することを特徴とするものである。
【発明の効果】
【００１５】
本発明に係る画像形成装置によれば、ユーザーの要望により原稿の基準位置を変更して拡大印刷又は縮小印刷を実行することが出来る。
【発明を実施するための最良の形態】
【００１６】
図１は、本発明に係る画像形成装置の中央断面図である。
【００１７】
画像形成装置１は原稿搬送部Ａ１、原稿読取部（読取部）Ａ２、及び画像形成部Ａ３を有する。
【００１８】
原稿搬送部Ａ１は原稿載置部として機能する原稿給紙トレイＡ１０１にセットされた原稿を１枚ずつ搬送する。原稿搬送部Ａ１によって搬送された原稿は読取位置Ｒ１において原稿読取部Ａ２によって読み取られる。原稿搬送部Ａ１及び原稿読取部Ａ２についての詳しい説明は後述する。
【００１９】
画像形成部Ａ１において、ドラム状の感光体１０の周囲に帯電部２０、露光部３０、現像部４０、転写部５０Ａ、分離部５０Ｂ及びクリーニング部６０が配置されており、帯電、露光、現像及び転写の各プロセスが実行され、給紙カセットから送り出されたシートＳ１にトナー像が形成される。トナー像が形成されたシートＳ１は定着部７０を通過して定着処理される。定着処理されたシートＳ１は、排紙ローラ８０によって排紙トレイ９０に排出される。
【００２０】
なお、本実施形態における画像形成装置１は電子写真方式によりシートにモノクロ画像を形成するものであるが、本発明に係る画像形成装置は本実施形態に限定されるものではなく、カラー画像形成装置であってもよいことは勿論のこと、その画像形成方式もインクジェット方式、熱転写方式、銀塩写真方式等、電子写真方式以外のどのような画像形成方式であっても構わない。
【００２１】
図２は画像形成装置１の制御系のブロック図であり、図２では代表的な構成を示す。
【００２２】
ＣＰＵ（Ｃｅｎｔｒａｌ  Ｐｒｏｃｅｓｓｉｎｇ  Ｕｎｉｔ）１０１は画像形成装置１全体の動作を制御するものであり、システムバス１０７を介して、ＲＯＭ（Ｒｅａｄ  Ｏｎｌｙ  Ｍｅｍｏｒｙ）１０２やＲＡＭ（Ｒａｎｄｏｍ  Ａｃｃｅｓｓ  Ｍｅｍｏｒｙ）１０３等に接続されている。このＣＰＵ１０１は、ＲＯＭ１０２に格納されている各種制御プログラムを読み出してＲＡＭ１０３に展開し、各部の動作を制御する。また、ＣＰＵ１０１は、ＲＡＭ１０３に展開したプログラムに従って各種処理を実行し、その処理結果をＲＡＭ１０３に格納するとともに操作表示部１０５に表示させる。そして、ＲＡＭ１０３に格納した処理結果を所定の保存先に保存させる。尚、本実施形態においては、ＣＰＵ１０１はＲＯＭ１０２及びＲＡＭ１０３と協働することにより制御部を構成する。
【００２３】
ＲＯＭ１０２は、プログラムやデータ等を予め記憶しており、代表的には半導体メモリで構成されている。
【００２４】
ＲＡＭ１０３は、ＣＰＵ１０１によって実行される各種制御プログラムによって処理されたデータ等を一時的に記憶するワークエリアを形成する。
【００２５】
ＨＤＤ１０４は、原稿読取部Ａ２で読み取って得た原稿画像の画像データを記憶したり、出力済みの画像データ等を記憶したりする。
【００２６】
操作表示部１０５は各種の設定を可能にするものである。操作表示部１０５はタッチパネル形式となっており、ユーザーが操作表示部１０５を通じて入力することにより画像形成に関する条件が設定される。例えば、拡大印刷又は縮小印刷を実行するか否か、拡大印刷又は縮小印刷を実行する場合は拡大印刷又は縮小印刷における原稿の基準位置をどの位置にするか等が設定出来る。本実施形態においては、操作表示部１０５はジョブ設定部として機能する。
【００２７】
原稿読取部Ａ１は、原稿画像を光学的に読み取ってアナログ電気信号に変換し、このアナログ電気信号をデジタル信号に変換することにより画像データを生成する。
【００２８】
原稿読取部Ａ１によって読み取った原稿の画像データや、画像形成装置１に接続されたＰＣから送信される画像データは画像処理部１０６によって画像処理される。例えば、原稿読取部Ａ１によって読み取った原稿の画像データに対して拡大処理又は縮小処理を実行する。また画像データに対して、階調再現特性の補正を行ったり、濃度補正ＬＵＴを参照して網点などのスクリーン処理を行ったり、細線を強調するためのエッジ処理を行ったりする。
【００２９】
画像形成部Ａ３は、画像処理部１０６によって画像処理された画像データを受け取り、シート上に画像を形成する。
【００３０】
図３は原稿搬送部Ａ１と原稿読取部Ａ２の拡大図である。
【００３１】
図３（ａ）で示すように原稿給紙トレイＡ１０１にセットされた原稿Ｄは複数の搬送ローラＡ１０４により１枚ずつ搬送され、原稿搬送経路Ａ１０５を通って読取位置Ｒ１に搬送される。読取位置Ｒ１に搬送された原稿Ｄは光学レンズを通じて表面画像読取センサＡ２０１によって読み取られる。
【００３２】
図３（ｂ）は原稿搬送部Ａ１の上面図であり、例えば「ＡＢＣＤＥＦ」という文字が連続的に記載された原稿Ｄが原稿給紙トレイＡ１０１にセットされ、原稿Ｄは複数の搬送ローラＡ１０４によってＹ方向に送り出される。
【００３３】
表面画像読取センサＡ２０１によって読み取られた原稿Ｄは原稿排紙トレイＡ１０３に搬送されるわけであるが、読取位置Ｒ１の搬送方向下流側には裏面画像読取センサＡ２０２が設けられている。原稿Ｄが反転されることなく搬送されると原稿Ｄの裏面の画像が裏面画像読取センサＡ２０２によって読み取られる。つまり、原稿Ｄが原稿給紙トレイ１０１から原稿排紙トレイＡ１０３に搬送される最中に原稿Ｄの表面が表面画像読取センサＡ２０１により読み取られ、原稿Ｄの裏面が裏面画像読取センサＡ２０２により読み取られる。このように原稿Ｄの搬送経路を挟んで２つの読取センサが設置されていることによって原稿Ｄの表裏を反転させることなく原稿の両面の画像を迅速に読み取ることが出来る。
【００３４】
また、原稿搬送部Ａ１には図４で示すように反転排紙トレイＡ１０２、切替ゲートＡ１０６、Ａ１０７、反転搬送経路Ａ１０８、反転搬送ローラＡ１０９等からなる表裏反転部が設置されている。
【００３５】
原稿給紙トレイＡ１０１から搬送された原稿Ｄの表裏を反転させたい場合、原稿給紙トレイＡ１０１から搬送された原稿Ｄは図４（ａ）で示すように切替ゲートＡ１０６、Ａ１０７の切替により、反転搬送経路Ａ１０８を通って反転排紙トレイＡ１０２に搬送される。そして反転搬送ローラＡ１０９の回転方向が変わり、図４（ｂ）に示すように原稿Ｄが反転搬送ローラＡ１０９により裏面画像読取センサＡ２０２における読取位置Ｒ２に搬送される。このような動作により原稿Ｄの表裏を反転させることが出来る。
【００３６】
画像形成装置１は、表面画像読取センサＡ２０１又は裏面画像読取センサＡ２０２によって読み取られた画像データに対して画像処理部１０６により拡大処理又は縮小処理を行い、拡大印刷又は縮小印刷を実行する。
【００３７】
画像処理部１０６による拡大処理又は縮小処理は、高速で拡大印刷又は縮小印刷を実行するため、原稿画像のうち先に表面画像読取センサＡ２０１又は裏面画像読取センサＡ２０２により読み取られる部分を基準として拡大処理又は縮小処理を行う。
【００３８】
図３（ｂ）に示すようにセットされた原稿Ｄで説明すると、表裏を反転させずに原稿Ｄを搬送すると、原稿Ｄのα側から先に表面画像読取センサＡ２０１により読み取られるため、図７（ａ）で示すように原稿Ｄの左上端を基準として拡大処理又は縮小処理を行う。
【００３９】
一方、表裏を反転させて原稿Ｄを搬送すると、原稿Ｄのβ側から先に裏面画像読取センサＡ２０２により読み取られるため、図７（ｂ）で示すように原稿Ｄの右上端を基準として拡大処理又は縮小処理を行う。
【００４０】
従って、画像形成装置１はユーザーが設定した拡大印刷又は縮小印刷における原稿の基準位置に基づき、原稿Ｄの反転可否、及び表面画像読取センサＡ２０１、裏面画像読取センサＡ２０２のどちらで原稿Ｄを読み取るのか、を判断し、その判断結果により拡大処理又は縮小処理を行う。
【００４１】
図４はユーザーにより設定された原稿の基準位置に基づき拡大印刷又は縮小印刷を実行するフローチャート図である。
【００４２】
まず画像形成装置１の操作表示部１０５を通じて拡大印刷又は縮小印刷に関する印刷ジョブがユーザーによって設定される（ステップＳ１）。操作表示部１０５において拡大印刷又は縮小印刷を選択し、且つ原稿の基準位置が図６で示すように原稿の左上端（図７（ａ）におけるＤ３）なのか、原稿の右上端（図７（ｂ）におけるＤ４）なのか、設定される。原稿の基準位置を特に設定しない場合は、原稿の基準位置を原稿の左上端としても良い。
【００４３】
そして印刷ジョブの設定が終わると、画像形成装置１におけるスタートボタンがユーザーによって押下されたかどうか判断し（ステップＳ２）、スタートボタンが押下されたと判断すると、印刷ジョブの実行を開始する（ステップＳ３）。ステップＳ２の動作及び印刷ジョブの実行開始の指令はＣＰＵ１０１が実行する。
【００４４】
次に拡大印刷又は縮小印刷における原稿の基準位置が左上端か否か判断する（ステップＳ４）。この動作は操作表示部１０５を通じてユーザーが設定した印刷ジョブの属性情報に基づきＣＰＵ１０１が実行する。
【００４５】
原稿の基準位置が左上端である、即ち原稿の基準位置が原稿送り出し方向において先頭側に位置する、と判断すると（ステップＳ４；Ｙｅｓ）、原稿を反転させずに表面画像読取センサＡ２０１の読取位置に搬送し（ステップＳ５）、原稿の画像を表面画像読取センサＡ２０１により読み取り（ステップＳ６）、読み取った原稿の画像データに対して原稿の左上端を基準位置として拡大処理又は縮小処理を実行する（ステップＳ７）。そして原稿給紙トレイＡ１０１にまだ原稿があるかどうか判断して（ステップＳ８）、原稿がまだある場合はステップＳ５〜ステップＳ７の動作を繰り返す。
【００４６】
一方、ステップＳ４において原稿の基準位置が左上端ではなく原稿の基準位置が右上端である、即ち原稿の基準位置が原稿送り出し方向において後端側に位置する、と判断すると（ステップＳ４；Ｎｏ）、原稿を反転させて裏面画像読取センサＡ２０２の読取位置に搬送し（ステップＳ９）、原稿の画像を裏面画像読取センサＡ２０２により読み取る（ステップＳ１０）。そして読み取った原稿の画像データに対して原稿の右上端を基準位置として拡大処理又は縮小処理を実行する（ステップＳ１１）。そして原稿給紙トレイＡ１０１にまだ原稿があるかどうか判断して（ステップＳ１２）、原稿がまだある場合はステップＳ９〜ステップＳ１１の動作を繰り返す。
【００４７】
ステップＳ４〜Ｓ１２の動作はＣＰＵ１０１によって制御される。
【００４８】
以上説明したように拡大印刷又は縮小印刷を行う場合、ユーザーが設定した原稿の基準位置に基づき原稿Ｄの反転可否等を判断し、その判断結果に基づき動作を行えば、ユーザーの要望に沿った拡大印刷又は縮小印刷を行うことが出来る。
【００４９】
本発明の実施の形態を図面によって説明してきたが、本発明は当該実施の形態に限定されるものではなく、本発明の要旨を逸脱しない範囲における変更や追加があっても本発明に含まれる。
【００５０】
画像形成装置１は表面画像読取センサＡ２０１と裏面画像読取センサＡ２０２の２つの読取センサを有しているため、例えば表面画像読取センサＡ２０１の故障を検知した場合はすべての読取動作を表裏反転部を利用して裏面読取センサＡ２０２で行うことが考えられる。逆に、裏面画像読取センサＡ２０２の故障を検知した場合は、すべての読取動作を表裏反転部を利用して表面読取センサＡ２０２で行うことも考えられる。
【００５１】
また読取動作の高速化を考慮し、原稿給紙トレイＡ１０１にセットされた原稿Ｄを裏面画像読取センサＡ２０２で読み取り、プラテンにセットされた原稿を表面画像読取センサＡ２０１で読み取るという同時読取も考えられる。
【図面の簡単な説明】
【００５２】
【図１】本発明に係る画像形成装置の中央断面図である。
【図２】画像形成装置１の制御系のブロック図である。
【図３】原稿搬送部Ａ１と原稿読取部Ａ２の拡大図である。
【図４】原稿搬送部Ａ１と原稿読取部Ａ２の拡大図である。
【図５】ユーザーにより設定された原稿の基準位置に基づき拡大印刷又は縮小印刷を実行するフローチャート図である。
【図６】画像形成装置における一般的な原稿読取部の概略図である。
【図７】原稿の左上端を基準にした拡大印刷と原稿の右上端を基準にした拡大印刷のイメージ図である。
【符号の説明】
【００５３】
１  画像形成装置
Ａ１  原稿搬送部
Ａ２  原稿読取部
Ａ３  画像形成部
１０１  ＣＰＵ
１０２  ＲＯＭ
１０３  ＲＡＭ
１０４  ＨＤＤ
１０５  操作表示部
１０６  画像処理部
【図１】
2008288679.tif 000003
【図２】
2008288679.tif 000004
【図３】
2008288679.tif 000005
【図４】
2008288679.tif 000006
【図５】
2008288679.tif 000007
【図６】
2008288679.tif 000008
【図７】
2008288679.tif 000009